(57)【要約】【課題】枠体の断面における縦方向および斜め上方からの大きな力に耐え、さまざまな方向からの力にも耐えることができる、枠体および太陽電池モジュールを提供する。【解決手段】太陽電池モジュール３０の枠体２は、太陽電池モジュール本体１の周縁部を嵌合する嵌合部３と支持部４とを有する。支持部４は長手方向に垂直な断面形状が四角形であり、外壁４ｂ、内壁４ｃ、保持下片３ｂ、および底辺片４ａで構成されている。さらに支持部４内に補強片５を有し、これは保持下片３ｂと底辺片４ａとの間に介設されている。【選択図】図２
2013120844.tif 000002
【特許請求の範囲】
【請求項１】
太陽電池モジュール本体の周縁部に嵌合する嵌合部および前記嵌合部を支持する支持部を有する枠体であって、
前記支持部は、四角形の上辺に相当する保持片と、前記四角形の両側辺に相当する外壁および内壁と、前記四角形の下辺に相当する底辺片とで長手方向に垂直な断面形状が四角形に形成され、前記保持片は、前記嵌合部に嵌合された前記太陽電池モジュール本体を支持するものであり、前記支持部は、前記保持片と前記底辺片との間に補強片を有する構造とされていることを特徴とする枠体。
【請求項２】
前記支持部は、長手方向に垂直な断面形状が矩形に形成されていることを特徴とする請求項１に記載の枠体。
【請求項３】
請求項１または請求項２に記載の枠体であって、
前記補強片は、前記外壁に平行に設けられていることを特徴とする枠体。
【請求項４】
請求項１または請求項２に記載の枠体であって、
前記補強片は、前記外壁に対して傾斜して設けられていることを特徴とする枠体。
【請求項５】
請求項１から請求項３までのいずれか一項に記載の枠体であって、
前記補強片が複数設けられていることを特徴とする枠体。
【請求項６】
請求項４に記載の枠体であって、
前記補強片は一対設けられ、かつ互いに交わるように配置されていることを特徴とする枠体。
【請求項７】
太陽光を受けて電力に変換する太陽電池モジュール本体と、この太陽電池モジュール本体の周縁部に嵌合する請求項１から請求項６までのいずれか一項に記載の枠体とを備えたことを特徴とする太陽電池モジュール。
【発明の詳細な説明】
【技術分野】
【０００１】
本発明は、太陽電池モジュール本体の周縁部を覆う枠体および太陽電池モジュールに関するものである。
【背景技術】
【０００２】
太陽電池モジュールは、太陽光を電力に変換する機能を有するものであるため、屋外に設置されるのが一般的である。また太陽電池モジュールは、風圧や積雪の荷重に耐えるため、太陽電池モジュール本体の周縁部を枠体で覆うことが多い。枠体は荷重に対する強度をあげるため中空の支持部を有する構造をとる。
【０００３】
第１の従来例の太陽電池モジュール７１を図６および図７に示す（特許文献１参照）。図６は太陽電池モジュール７１の枠体５６の断面図である。太陽電池モジュール７１は、太陽電池モジュール本体５０の周縁部を枠体５６で保持している。太陽電池モジュール本体５０は太陽光Ｌを受けて電力に変換する矩形状の太陽電池パネルであり、枠体５６は嵌合部５２と、中空の支持部５７と、張り出し部５８とを有する。嵌合部５２は保持上片５２ａと保持下片５２ｂとこれらを繋ぐ中間片５２ｃとで断面略コ字形に形成されている。支持部５７は、上辺部５７ａと、太陽電池モジュール７１の側辺となる縦辺部５７ｂと、太陽電池モジュール７１の内側の斜辺部５７ｃとで長手方向（紙面に垂直な方向）に垂直な断面形状が逆三角形を形成している。この場合、嵌合部５２の保持下片５２ｂは上辺部５７ａを兼ねている。張り出し部５８は断面Ｌ字形をなしその一片の先端が支持部５７の縦辺部５７ｂと斜辺部５７ｃの連接部に繋がり、他片が枠体５６の中央側に延びている。この太陽電池モジュール７１は太陽電池モジュール本体５０の周縁部に枠体５６の嵌合部５２を嵌め込むことで組み立てられる。
【０００４】
ところで、枠体５６にかかる力（荷重）は、主に、太陽電池モジュール本体５０の重量ならびに太陽電池モジュール本体５０への積雪および風圧によって、枠体５６を圧縮する方向にかかる力と、太陽電池モジュール本体５０に下から吹き上げる風圧によって枠体５６を引っ張る方向にかかる力がある。枠体５６の断面に垂直な方向すなわち縦辺部５７ｂに沿った方向に加わる力の場合、太陽電池モジュール本体５０の重量等が保持下片５２ｂに加わる力は、斜辺部５７ｃおよび縦辺部５７ｂに圧縮力として加わり、斜辺部５７ｃおよび縦辺部５７ｂにせん断力や曲げモーメントは発生することなく、太陽電池モジュール本体５０を支持することができる。これとは逆の方向に吹き上げ荷重がかかった場合には、斜辺部５７ｃおよび縦辺部５７ｂに引っ張り力が加わり、太陽電池モジュール本体５０を支持することは可能である。
【０００５】
図７は太陽電池モジュール７１の設置状態の斜視図である。複数の太陽電池モジュール７１が枠体５６を介して、傾斜した架台５９に設置されている。設置状態の各太陽電池モジュール７１は架台５９によって傾斜しており、そのため太陽電池モジュール本体５０の重量、積雪（図示せず）および風圧により枠体５６に加わる力（荷重）Ｆ５は、図６の矢印のように枠体５６の断面で斜め上方からの力、すなわち太陽電池モジュール本体５０によって枠体５６を太陽電池モジュール本体５０から外そうとする力となる。この場合、図７のように、力Ｆ５の加わる方向が斜辺部５７ｃの斜面に沿った方向であればよいが、枠体５６に加わる力は、架台５９の傾斜角度、風圧および積雪等に依存するため、いつも同じ方向からかかるとは限らず、さまざまな方向からさまざまな大きさでかかる。そのため、力Ｆ５の方向以外の斜め上方からの力は枠体５６の断面の斜辺部５７ｃに沿った方向に逃すことができず、力Ｆ５の方向に対する強度よりも逆に弱くなる。
【０００６】
第２の従来例の太陽電池モジュール７０を図８から図１０に示す。図８は太陽電池モジュール７０の枠体５１の断面図である。第１の従来例と異なる点は支持部５３が断面四角形に形成され、張り出し部がないことである。すなわち、支持部５３は太陽電池モジュール７０の側辺となる外壁５３ａと、その内側に対向する内壁５３ｂと、底辺片５３ｃと、上記嵌合部５２の保持下片５２ｂとで断面四角形に形成され、その内側を中空空間としている。
【０００７】
図９は、太陽電池モジュール７０を建物の屋根５４に設置した状態の屋根５４の概略部分側面図であり、積雪５５が太陽電池モジュール７０上に形成された状態を示している。Ｆは太陽電池モジュール本体５０の重量や積雪５５等により枠体５１に加わる斜め上方からの力を示している。
【０００８】
図１０は図９において枠体５１に加わるさまざまな力の方向を示す断面図である。Ｆ１は太陽電池モジュール本体５０の重量や積雪５５等により枠体５１の外壁５３ａに沿った方向すなわち縦方向にかかる力を示し、Ｆ２、Ｆ３は上記力Ｆに相当するもので、屋根５４の傾斜角度、風圧や積雪５５等によりさまざまな斜め上方からかかる力を示し、Ｆ４は風圧による吹き上げ荷重を示している。すなわち、太陽電池モジュール７０は設置場所により、最適な設置角度が異なるものであるが、設置角度が異なれば、枠体５１に加わる力の方向や角度が図１０の力Ｆ２、Ｆ３のように変わり、積雪５５の状態によっても変わる。また風の場合は、さまざまな方向（角度）から枠体５１に力が加わり、太陽電池モジュール７０の光入射側からかかる力Ｆ２、Ｆ３と、太陽電池モジュール７０の下にまわりこんだ風による力（吹き上げ荷重）Ｆ４も受ける。
【０００９】
第２の従来例の枠体５１によれば、支持部５３が断面四角形であるため、太陽電池モジュール本体５０によって枠体５１に加わる縦方向の力Ｆ１を外壁５３ａおよび内壁５３ｂにより耐えることができ、斜め上方から枠体５１に加わる力Ｆに対して保持下片５２ｂおよび内壁５３ｂにより耐えることができ、さらに吹き上げ荷重Ｆ４に耐えるなどさまざまな方向からの力に耐えることが可能である。
【特許文献１】特開２００９−２６７１３０
【発明の概要】
【発明が解決しようとする課題】
【００１０】
太陽電池モジュール７０の大型化に伴い、従来に比べて、太陽電池モジュール本体５０の重量が増加し、積雪量や風圧も増大するため枠体５１、５６に加わる力は著しく大きくなり、とくに枠体５１、５６の断面の縦方向にかかる力および斜め上方からかかる力が大きくなる。太陽電池モジュール７０を積雪地域に設置する場合にはとくに積雪量が増加するため、枠体５１、５６に加わる力はさらに大きくなり、これらによって枠体５１、５６が曲がらないようにしなければならない。
【００１１】
このように、枠体５１、５６は、とくに縦方向のより大きな力に耐える性能が求められ、さらに斜め上方のさまざまな方向からの力およびその他の方向からの力に耐える性能も求められている。
【００１２】
しかし、第１の従来例の枠体５６では上記のように斜め上方のさまざまな方向からの力に対して十分に耐えることができない。また第１の従来例および第２の従来例の枠体５１、５６では縦方向および斜め上方からのより大きな力に十分に耐えることができない。
【００１３】
したがって、本発明は、縦方向の大きな力に十分に耐えることができ、斜め上方のさまざまな方向からの大きな力にも耐えることができ、その他の方向からの力にも耐えることができる枠体および太陽電池モジュールを提供することを目的としている。
【課題を解決するための手段】
【００１４】
本発明の枠体は、太陽電池モジュール本体の周縁部に嵌合する嵌合部および前記嵌合部を支持する支持部を有する枠体であって、前記支持部は、四角形の上辺に相当する保持片と、前記四角形の両側辺に相当する外壁および内壁と、前記四角形の下辺に相当する底辺片とで長手方向に垂直な断面形状が四角形に形成され、前記保持片は、前記嵌合部に嵌合された前記太陽電池モジュール本体を支持するものであり、前記支持部は、前記保持片と前記底辺片との間に補強片を有する構造とされていることを特徴とするものである。また、支持部は、長手方向に垂直な断面形状が矩形に形成されていることが好ましい。
【００１５】
上記構成によれば、支持部内で保持片と底辺片との間に補強片が介設されているため、補強片は保持片に加わる力を支えることができ、したがって枠体の断面において縦方向に加わる大きな力は外壁、内壁および補強片で受けることができるので、枠体は十分な強度を持ち大きな力に耐えることができる。また枠体の断面において斜め上方からのさまざまな力は、保持片と内壁に分解されさらに補強片にも分解され得るため、枠体は斜め上方からの大きな力に対しても耐える強度を持つことができ、その他さまざまな方向からの力に対しても十分に耐える強度を持つことが可能である。
【００１６】
本発明の枠体は、上記構成において、補強片は外壁に平行に設けられている。この構成によれば、とくに縦方向の大きな力に耐えるのに有効である。
【００１７】
本発明の枠体は、上記構成において、補強片は外壁に対して傾斜して設けられている。この構成によれば、補強片の傾斜方向に沿う斜め上方からの力に耐えるのに有効である。
【００１８】
本発明の枠体は、上記構成において、補強片は複数設けられていてもよい。この構成によれば、縦方向からの力および斜め上方からの力に対して耐える力がさらに増大する。
【００１９】
本発明の枠体は、上記構成において、補強片は一対設けられ、かつ互いに交わるように配置されている。すなわち、一対の補強片が、外壁に対して傾斜して設けられている。この構成によれば、特に２方向の斜め方向からの力に対して耐久力が大きい。
【００２０】
本発明の太陽電池モジュールは、太陽光を受けて電力に変換する太陽電池モジュール本体と、この太陽電池モジュール本体の周縁部を嵌合する上記構成の枠体とを備えたものである。この太陽電池モジュールによれば、上記構成の枠体を有するため上記と同様の効果がある。
【発明の効果】
【００２１】
本発明の枠体によれば、支持部内で保持片と底辺片との間に補強片が介設されているため、補強片は保持片に加わる力を支えることができ、したがって枠体の断面において縦方向に加わる大きな力は外壁、内壁および補強片で受けることができるので、枠体は十分な強度を持ち大きな力に耐えることができる。また枠体の断面において斜め上方からのさまざまな力は、保持片と内壁とに分解され、さらに補強片にも分解されるため、枠体は斜め上方からの大きな力に対しても耐える強度を持つことができ、その他さまざまな方向からの力に対しても十分に耐える強度を持つことが可能である。
【００２２】
また、本発明の太陽電池モジュールによれば、上記枠体を有するため上記と同様の効果がある。
【図面の簡単な説明】
【００２３】
【図１】本発明の第１の実施の形態に係る太陽電池モジュールの平面図である。
【図２】太陽電池モジュールの枠体の断面を示す図１のＩ−Ｉ線断面図である。
【図３】本発明の第２の実施の形態に係る太陽電池モジュールの枠体の断面図である。
【図４】本発明のさらに別の種々の実施の形態に係る太陽電池モジュールの枠体の概略断面図である。
【図５】本発明のさらに別の実施の形態に係る太陽電池モジュールの枠体の断面図である。
【図６】第１の従来例を示す枠体の断面図である。
【図７】太陽電池モジュールが架台に設置された状態の斜視図である。
【図８】第２の従来例を示す枠体の断面図である。
【図９】太陽電池モジュールを屋根に設置した状態の屋根の一部を示す側面図である。
【図１０】枠体に加わる力の方向を示す枠体の断面図である。
【発明を実施するための形態】
【００２４】
本発明の実施の形態に係る太陽電池モジュールを、図面を参照して説明する。
【００２５】
図１は、第１の実施の形態の太陽電池モジュールの平面図である。太陽電池モジュール３０は、太陽電池モジュール本体１と、その周縁部を覆う枠体２とを備えている。太陽電池モジュール本体１は、太陽光を受けて電力に変換するものである。枠体２は太陽電池モジュール本体１の周縁部に嵌合される４つの枠片２ａ〜２ｄからなり、対向する一対の枠片２ａ、２ｃの両端部に設けられた連結部２ｅ間に他の一対の枠片２ｂ、２ｄの両端部を配置し、ねじなどの連結具（連結手段）で枠片２ｂ、２ｄを枠片２ａ、２ｃ間に連結することで、太陽電池モジュール本体１の周縁部を嵌合被覆している。
【００２６】
図２は、図１のＩ−Ｉ線断面図であり、太陽電池モジュール本体１が嵌合された状態の枠体２の断面を示している。ただし、図２では、一つの枠片２ａの断面を示しているが、他の枠片２ｂ〜２ｃも同様の断面形状となっている。
【００２７】
太陽電池モジュール本体１の内部構造は、ガラスなどを用いた透光性基板、ＥＶＡ（エチレンビニルアセテート）などを用いた充填材、太陽光を受けて電力に変換する太陽電池セル、充填材、樹脂フィルムなどを用いた裏面保護材の積層構造（図示せず）を有し、太陽電池セルが充填材で封止されて透光性基板に固着され、透光性基板と反対側を裏面保護材で保護することにより製造されている。裏面保護材には端子が設けられている。
【００２８】
枠体２（枠片２ａ〜２ｄ）は、太陽電池モジュール本体１の周縁部を嵌合する嵌合部３と、嵌合部３を支持する中空状の支持部４とを有し、これらは枠片２ａ〜２ｄをアルミニウムなどの金属や樹脂を用いて押し出し成形すると同時に形成されている。嵌合部３は太陽電池モジュール本体１の上面を被覆する保持上片３ａと、太陽電池モジュール本体１の下面を支持する保持下片３ｂと、太陽電池モジュール本体１の端面を支持する中間片３ｃとでコ字形に形成されている。
【００２９】
支持部４は、長手方向Ｙに垂直な断面形状が四角形（実施の形態では矩形）をなしており、四角形の上辺に相当する保持片としての保持下片３ｂと、四角形の両側辺に相当する外壁４ｂおよび内壁４ｃと、四角形の下辺に相当する底辺片４ａとで構成されている。保持下片３ｂは上記したように嵌合部３に嵌合された太陽電池モジュール本体１を直接受けてこれを支持する。外壁４ｂは太陽電池モジュール３０の側辺となる。嵌合部３と支持部４とは保持下片３ｂを間にして互いに反対側に位置する。中間片３ｃと外壁４ｂは面一に連続している。底辺片４ａは屋根などの設置部に設置されるのに利用され、直接または支え板を介して設置部の架台（図示せず）などに取付けられる。さらに支持部４内に縦方向の力を支えることができる補強片５を配置している。すなわち補強片５は、支持部４の中空空間内で保持下片３ｂと底辺片４ａとの間に介設されている。この補強片５は両側が保持下片３ｂおよび底辺片４ａの各中央に位置し外壁４ｂに平行な姿勢であり、両側が保持下片３ｂおよび底辺片４ａに一体に連接されている。また補強辺５は枠片２ａ〜２ｄを押し出し加工することにより形成するので、補強片５は各枠片２ａ〜２ｄの長手方向Ｙの端から端まで全長にわたって形成されている。
【００３０】
太陽電池モジュール３０は、太陽電池モジュール本体１の周縁部に枠片２ａ〜２ｄの嵌合部３を嵌合させると同時に枠片２ａ〜２ｄの相互を連結部２ｅで連結することで組み立てられる。そして底辺片４ａを屋根などの設置部に固定することで太陽電池モジュール３０が設置部に設置される。
【００３１】
第１の実施の形態の太陽電池モジュール３０によれば、枠体２において、嵌合部３を支持する支持部４内で保持下片３ｂと底辺片４ａとの間に補強片５が介設されているため、補強片５は保持下片３ｂに加わる力を支えることができ、したがって枠体２の断面において縦方向に加わる大きな力は外壁４ｂ、内壁４ｃおよび補強片５で受けることができるので、枠体２は十分な強度を持ち大きな力に耐えることができる。また枠体２の断面において斜め上方からのさまざまな力は、保持下片３ｂと内壁４ｃに分解されさらに補強片５にも分解され得るため、枠体２は斜め上方からの大きな力に対しても耐える強度を持つことができ、その他吹き上げ荷重等さまざまな方向からの力に対しても十分に耐える強度を持つことが可能である。
【００３２】
また補強片５が外壁４ｂに平行であるため、とくに縦方向の大きな力に耐えるのに有効である。
【００３３】
ここで、比較例として、例えば補強片の両側が外壁４ｂと内壁４ｃの間に介設され例えば保持下片３ｂに平行に設けられたものは、保持下片３ｂに縦方向にかかった力を支えることはできず外壁４ｂと内壁４ｃのみで受けるため、第１の実施の形態のほうが大きな力に耐えることができる。
【００３４】
なお、補強片５の保持下片３ｂと底辺片４ａ上の位置は中央に限らず、内壁４ｃ寄りまたは外壁４ｂ寄りの位置でもよい。また支持部４の中空空間を形成する外壁４ｂ等と補強片５とは同じ厚さでなくてもよい。
【００３５】
図３は、本発明の第２の実施の形態に係る太陽電池モジュール３０の枠体２の断面図を示す。この太陽電池モジュール３０は太陽電池モジュール本体１と枠体２とを備え、枠体２は嵌合部３と支持部４とを有する。このうち、太陽電池モジュール本体１および枠体２の一部は第１の実施の形態と同構成であり、同一個所に同一符号を付して説明を省略する。異なる点は、補強片５ａが外壁４ｂと平行ではないことであり、外壁４ｂに対して傾斜している。すなわち補強片５ａの上側部は保持下片３ｂと内壁４ｃとが繋がる角部に一体に連接され、下側部は外壁４ｂと底辺片４ａとが繋がる角部に一体に連接されている。
【００３６】
第２の実施の形態によれば、補強片５ａが縦方向にかかる力を支えることはできるため、枠体２の縦方向に係る大きな力に耐えることが可能である。また太陽電池モジュール本体１から枠体２が外れようとする斜め上方からの力Ｆ５が太陽電池モジュール本体１に加わったとき、補強片５ａで支えることができるため、枠体２を回転させようとする力がかかりにくくなり、太陽電池モジュール本体１から一層外れにくくなる。
【００３７】
図４は、本発明に係るその他の種々の実施の形態における太陽電池モジュール３０の枠体２の概略断面図である。この太陽電池モジュール３０の太陽電池モジュール本体１および枠体２の一部は、第１の実施の形態および第２の実施の形態と同構成であるので同一個所に同一符号を付して説明を省略する。異なる点は、以下に示すように補強片が複数存在することである。
【００３８】
図４（Ａ）は２つの補強片５ｂ、５ｃがそれぞれ保持下片３ｂおよび底辺片４ａの間に介設されており、それぞれ外壁４ｂに平行で、保持下片３ｂおよび底辺片４ａをそれぞれ３等分する位置に設けられている。この実施の形態によれば、枠体２は縦方向の力に対してより一層強度をもつことができる。
【００３９】
図４（Ｂ）は第１の実施の形態の縦方向の補強片５に加えて横方向の補強片５ｄを設けている。補強片５ｄは内壁４ｃおよび外壁４ｂの間に介設されており、具体的には保持下片３ｂに平行な姿勢となりかつ両側が内壁４ｃおよび外壁４ｂの中央位置で一体に連接され、さらに補強片５、５ｄの相互が中央位置で一体に交差している。この補強片５ｄは保持下片３ｂに平行な力に耐えることができる。
【００４０】
図４（Ｃ）は第２の実施の形態の補強片５ａに加えてそれと一体に交差する逆向きの斜め方向の補強片５ｅを追加している。すなわち、一対の補強片５ａ、５ｅが互いに交わるように配置されている。この補強片５ｅは斜め下から枠体２を外そうとする力、すなわち吹き上げ荷重がかかったときに耐えるのに大きく寄与することができる。
【００４１】
図４（Ｄ）は図４（Ｃ）の実施の形態において、さらに第１の実施の形態と同様に外壁４ｂに平行な補強片５を追加しており、補強片５ａ、５ｅと一体に交差している。この補強片５の追加によって枠体２はさまざまな方向からかかる力に対して、より安定的に耐えることができる。
【００４２】
図４（Ｅ）は図４（Ｄ）の実施の形態において、さらに図４（Ｂ）の補強片５ｄすなわち保持下片３ｂに平行な補強片５ｄを追加しており、補強片５、５ａ、５ｅと一体に交差している。図４（Ｄ）の実施の形態と同様に、枠体２はさまざまな方向からかかる力に対して、より安定的に耐えることができる。
【００４３】
図５は、本発明に係るさらに別の実施の形態における太陽電池モジュール３０の枠体２の断面図を示す。この太陽電池モジュール３０の太陽電池モジュール本体１および枠体２は、第１の実施の形態と同構成であり、同一個所に同一符号を付して説明を省略する。
【００４４】
この実施の形態は第１の実施の形態において枠体２に支え部６を設けたものである。支え部６は支持部４の底辺片４ａから底辺片４ａに平行に内壁４ｃよりも内方すなわち枠体２の中央側に延出している。支え部６を設けたことにより太陽電池モジュール３０の枠体２をより安定に設置部に設置することができる。
【００４５】
なお、支え部６は第１の実施の形態に限らず、それ以外の実施の形態にも適用することができる。
【００４６】
また、上記各実施の形態において、枠体２は本発明に係る基本的な構成のみを示しており、上記支え部６を有してもよいことはもちろん、複数の太陽電池モジュール３０の隣同士の太陽電池モジュール３０を接続するための構造物を追加してもよい。さらに、枠体２の支持部４、補強片５または支え部６に枠片２ａ〜２ｄの連結部２ｅの連結などに用いるビス穴のほか、突起部、溝部等を設けてもよい。枠体２の支持部４は枠片２ａ〜２ｄのすべてに設ける場合に限らず、その一部のみに設けたものでもよい。
【００４７】
太陽電池モジュール本体１中の太陽電池セルは、特定の太陽電池に限定されるものではない。例えばＧａＡｓ、ＣＩＳ、ＣＩＧＳ、ＣｄＴｅ等の化合物半導体太陽電池、結晶系および薄膜系のシリコン太陽電池、ならびに色素増感型太陽電池等でもよい。
【００４８】
なお、今回開示した実施の形態はすべての点で例示であって、限定的な解釈の根拠となるものではない。したがって、本発明の技術的範囲は、上記した実施の形態のみによって解釈されるものではなく、特許請求の範囲の記載に基づいて画定される。また、特許請求の範囲と均等の意味及び範囲内でのすべての変更が含まれる。
【符号の説明】
【００４９】
１    太陽電池モジュール本体
２    枠体
２ａ〜２ｄ    枠片
３    嵌合部
３ａ  保持上片
３ｂ  保持下片（保持片）
３ｃ  中間片
４    支持部
４ａ  底辺片
４ｂ  外壁
４ｃ  内壁
５    補強片
５ａ〜５ｅ  補強片
６    支え部
【図１】
2013120844.tif 000003
【図２】
2013120844.tif 000004
【図３】
2013120844.tif 000005
【図４】
2013120844.tif 000006
【図５】
2013120844.tif 000007
【図６】
2013120844.tif 000008
【図７】
2013120844.tif 000009
【図８】
2013120844.tif 000010
【図９】
2013120844.tif 000011
【図１０】
2013120844.tif 000012